(57)【要約】【課題】複雑な加工工程を省略することによって、コストダウンを図ることができるブラシ用毛材を提供する。【解決手段】洗浄、清掃、研削、塗布等に使用される各種加工ブラシに用いられるブラシ用毛材１において、前記ブラシ用毛材１は、長尺の繊維束を蛇行状に折曲させて仮止め糸１３、３３により帯状に連ねた帯板状体２を有し、該帯板状体２の長手方向には芯線４が挟み込まれて保持されており、該芯線４は少なくとも２つの接地点あるいは１つの接地面を有する多面体である。【選択図】      図１
2008036045.tif 000002
【特許請求の範囲】
【請求項１】
洗浄、清掃、研削、塗布等に使用される各種加工ブラシに用いられるブラシ用毛材において、前記ブラシ用毛材は、長尺の繊維束を蛇行状に折曲させて仮止め糸により帯状に連ねた帯板状体を有し、該帯板状体の長手方向には芯線が挟み込まれて保持されており、該芯線は少なくとも２つの接地点あるいは１つの接地面を有する多面体の芯線であることを特徴とするブラシ用毛材。
【請求項２】
芯線は帯板状体の短手方向の略中央部に保持されていることを特徴とする請求項１に記載のブラシ用毛材。
【請求項３】
芯線は帯板状体の短手方向の端部に保持されていることを特徴とする請求項１又は２に記載のブラシ用毛材。
【発明の詳細な説明】
【技術分野】
【０００１】
本発明は、洗浄、清掃、研削、塗布等に使用される各種加工ブラシに用いられるブラシ用毛材に関するものである。
【背景技術】
【０００２】
従来のブラシ用毛材としては、１種類のブラシ用毛材をＵ字形に２つ折りしながら長尺チャンネルの溝に押し込んでチャンネルブラシとして使用するものがある（特許文献１）。
また、あらかじめ長尺チャンネルの溝に接着材が含浸され、この溝に１種類のブラシ用毛材を芯線でＵ字形に２つ折りしながら、芯線と共に長尺チャンネルの溝に押し込んで接着してチャンネルブラシとして使用するものがある（特許文献２）。
さらに、１種類のブラシ用毛材をＵ字形に２つ折りしながら長尺チャンネルの溝に押し込んだ後、ブラシ用毛材の側面に所定幅の接着層を形成してチャンネルブラシとして使用するものがある（特許文献３）。
また、長尺な繊維束を蛇行状に折り曲げて所定幅の帯板状体を形成させ、この帯板状体は、その長手方向の両縁部を仮止め糸で固定したうえで、幅方向の中央で２分割してブラシ用毛材として使用するものがある（特許文献４）。
【０００３】
【特許文献１】特開２００３−２７５０２５号公報
【特許文献２】特開平８−３８２５５号公報
【特許文献３】特開２００４−３３６８５号公報
【特許文献４】特開２００１−１６１６１１号公報
【発明の開示】
【発明が解決しようとする課題】
【０００４】
また、ブラシ用毛材をチャンネルブラシとして使用する場合の他の製造方法としては、図１０に示すように、先ず、長尺の帯状体１５に対して、ブラシ用毛材１の中心にある溶着部６が帯状体１５の上部になるように重ね合わせて設置し、縦ロール１９を使用して芯線１６にてブラシ用毛材１を挟み付けると共に、断面形状が円形の芯線１６を帯状体１５の溝部１７に押し込む。次に、帯状体１５の両側に形成された横ロール１８、１８を使用して帯状体１５を両側からかしめて完成させるものがある。
これら従来の製造方法は、いずれも複雑な加工工程を必要としている。
【０００５】
本発明は上記点に鑑み、複雑な加工工程を省略することによって、コストダウンを図ることができるブラシ用毛材を提供することを目的とする。
【課題を解決するための手段】
【０００６】
請求項１の発明は、洗浄、清掃、研削、塗布等に使用される各種加工ブラシに用いられるブラシ用毛材において、前記ブラシ用毛材は、長尺の繊維束を蛇行状に折曲させて仮止め糸により帯状に連ねた帯板状体を有し、該帯板状体の長手方向には芯線が挟み込まれて保持されており、該芯線は少なくとも２つの接地点あるいは１つの接地面を有する多面体の芯線であることに特徴を有する。したがって、各種加工ブラシの軸に直接的に芯線を固定することができるので、チャンネルブラシにおいて帯状体をかしめる作業を省略することができる。
【０００７】
請求項２の発明は、請求項１の発明において、芯線は帯板状体の短手方向の略中央部に保持されていることに特徴を有する。したがって、芯線の両側の帯板状体を折り曲げ、芯線をブラシの軸に固定することによって容易にチャンネルブラシを製造することができる。
【０００８】
請求項３の発明は、請求項１又は２の発明において、芯線は帯板状体の短手方向の端部に保持されていることに特徴を有する。したがって、芯線が保持されている端部をコ字状の帯状体で挟みつけ、他方の端部の長手方向を切断し、芯線をブラシの軸に固定することによって容易にチャンネルブラシを製造することができる。
【発明の効果】
【０００９】
請求項１の発明では、各種加工ブラシに用いられるブラシ用毛材において、予め芯線をブラシ用毛材に挟み込み、少なくとも２つの接地点あるいは１つの接地面を有する多面体の芯線を直接ブラシの軸に固定することによって、製造コストを低減することができる。
また、請求項２及び３の発明では、芯線をブラシ用毛材の短手方向の中央部又は端部で保持させることによって、チャンネルブラシの製造が容易となり、さらに製造コストを低減することができる。
【発明を実施するための最良の形態】
【００１０】
次に、本発明の実施形態を図面に基づいて説明する。図１は本発明の第一実施形態を示す説明図である。先ず図１（ａ）に示すように、所望の太さにまとめた長尺の繊維束を、蛇行状に折曲させて、ブラシの背丈の略２倍の横幅寸法の帯板状体２とする。次に、両縁部を仮止め糸１３、３３によって固定する。次に、中央部の繊維束の中に一端から他端に亘って芯線４を挿入するのである。そして、挿入された芯線４の両側の帯板状体２を仮止め糸３、３によって縫い、芯線４を中央部に固定するのである。これによって、蛇行状に折曲させられた長尺な繊維束は解けることがなくなると共に、中央部に芯線４が保持された帯板状体２がブラシ用毛材１となるのである。
ここで、ブラシ用毛材１を側面から視た場合には図１（ｂ）に示すように、芯線４の断面は四角形状となって帯板状体２内に挿入されている。したがって、芯線４の近傍の繊維束は芯線の面に沿って直線状となるのである。
【００１１】
図２は、図１で説明した本発明のブラシ用毛材１をチャンネルブラシ１４に適用した状態を示す斜視図である。図２（ａ）に示すように、チャンネルブラシ１４は、ブラシ用毛材１、帯状体１５及び芯線４より構成されている。帯状体１５は概コ字状の溝部１７を有する長尺形状に形成されており、ブラシ用毛材１は芯線４が保持されている両側を折り曲げて形成されてある。ここで、チャンネルブラシ１４はブラシ用毛材１が帯状体１５にてかしめて挟み付けられてあると共に芯線４の両側が仮止め糸３、３により縫ってある為、ブラシ用毛材１は毛抜けをすることが無い。尚、仮止め糸３は使用目的に応じて抜くことも可能である。また、図２（ｂ）に示すように、帯状体１５を使用せずに回転軸等に直接固定することも可能である。この場合には、縫い糸５３でブラシ用毛材１の周囲を縫い付けてブラシ用毛材１がバラけるのを防止するのである。さらに、図２（ｃ）に示すように、帯状体１５ａをかしめないで使用することも可能である。また、帯状体１５ａの溝部１７と芯線４の底部は接着されてある。
また、ブラシ用毛材１の端部を図１で示した仮止め糸３の下で切断することによって、均一な毛丈のチャンネルブラシ１４を製造することができる。
【００１２】
図３は、本発明に使用する芯線の断面形状の例を示した図である。図３（ａ）に示す芯線４ａの断面形状は上述した四角形状の場合であり、底面がブラシの軸の設置面に接する場合である。図３（ｂ）に示す芯線４ｂの断面形状は円弧状の場合であり、この場合も底面がブラシの軸の設置面に接する場合である。図３（ｃ）に示す芯線４ｃの断面形状では、芯線４ｃの２点がブラシ軸の設置面に接する場合である。図３（ｄ）に示す芯線４ｄの断面形状では、芯線４ｄの１点と底面とがブラシ軸の設置面に接する場合である。これらの例に示すように、芯線４は少なくとも２つの接地点あるいは１つの接地面を有する多面体であれば良いものであり、接地面が限りなく平面に近い曲面の場合でも押圧することによって、図３（ａ）又は（ｂ）と同等の効果を有するので、これも本発明の適用される芯線に含まれるものである。
【００１３】
図４は本発明の第二実施形態を示す説明図である。先ず、所望の太さにまとめた長尺の繊維束を、蛇行状に折曲させて、ブラシの背丈の略２倍の横幅寸法の帯板状体２とする。次に、両縁部を仮止め糸３、１３によって固定する。次に、中央部の繊維束の中に一端から他端に亘って芯線４を挿入するのである。そして、中央部の芯線４を一方の端部に固定されてある仮止め糸３の近傍まで繊維束の中を移動させた後、芯線４の反対側の縁部を仮止め糸３によって固定し、ブラシ用毛材１ａとなるのである。このブラシ用毛材１ａをチャンネルブラシに使用する場合には、図２に示した帯状体１５の溝部１７に芯線４が保持された側のブラシ用毛材１ａの端部を挿入して挟みつけ、ブラシ用毛材１ａの他方の端部を仮止め糸１３の下で切断することによって、チャンネルブラシを製造することができる。
【００１４】
ここで、ブラシ用毛材及び芯線は使用する目的に応じて、ポリエチレン系繊維、ポリプロピレン系繊維、ポリカーボネイト系繊維に代表されるポリオレフィン系繊維、ポリアミド系繊維、ポリエステル系繊維、ポリウレタン系繊維、ウレタンゴム系繊維、アクリル系繊維、熱可塑性ポリビニルアルコール系繊維、熱可塑性フッ素系樹脂繊維、ポリパラフェニレンベンゾビスオキサゾール（PBO）繊維等の材質の中から、選定して使用する。また、抗菌繊維、微生物分解性繊維、発色性繊維、蛍光繊維、蓄光繊維、高強度繊維、静電性繊維、制電性繊維、伸縮性繊維、熱融着繊維、弾性繊維等の材質の中から、選定して使用する。さらにまた、上記以外にも、例えば、アルミニウム、マグネシウム、鉄、ステンレス、セラミック等の繊維、前記材質の合金の繊維、天然繊維、化学繊維、天然樹脂発泡体、合成樹脂発泡体、天然樹脂、合成樹脂、天然ゴム、合成ゴムからなる繊維等の材質の中から、選定して使用できる。また、前記繊維は極細繊維の形態も設定できる。
【００１５】
図５〜図９に、上記第一及び第二実施形態で示したブラシ用毛材１又は１ａの各種ブラシへの適用例を示す。先ず、図５はブラシ用毛材１、を回転ロータ２４に適用した場合の断面図である。この図に示すように、回転ロータ２４の回転軸２５の溝２６の底にブラシ用毛材１の芯線４を押し込んで製作される。
【００１６】
図６はブラシ用毛材１又は１ａを洗浄ブラシ１６に適用した場合である。この洗浄ブラシ１６は、ブラシ用毛材１によって形成されたチャンネルブラシ１７を螺旋状に回転軸１８に巻き付けたものであり、洗車機用、一般洗浄用、液晶、ウェハ、ガラス等の基板洗浄用、掃除機用等に使用される。
【００１７】
図７はブラシ用毛材１又は１ａを洗浄ブラシ１９に適用した場合である。この洗浄ブラシ１９は室内清掃用、洗車機用等に使用される。
【００１８】
図８はブラシ用毛材１又は１ａを洗浄ブラシ２０に適用した場合である。この洗浄ブラシ２０は、回転軸２１の溝部２２にブラシ用毛材１にて形成されたチャンネルブラシ２３を挿入し、捻ることによって製作される。この洗浄ブラシ２０は、主に掃除機用床ノズル或いは空気調和機のフィルター清掃用の回転ロータとして使用される。
【００１９】
図９はブラシ用毛材１又は１ａをブラシロール２７に適用した場合である。このブラシロール２７は鉄鋼又は非鉄金属性の板材の表面の洗浄、清掃、研磨、研削及び表面処理に使用される。
【００２０】
尚、本発明の趣旨を逸脱しない範囲において、種々の実施形態をとることができることは言うまでもない。
【産業上の利用可能性】
【００２１】
本発明のブラシ用毛材は洗浄、清掃、研削、塗布等に使用される各種加工ブラシを構成する一部品として使用する。
【図面の簡単な説明】
【００２２】
【図１】本発明の第一実施形態を示す図である。
【図２】チャンネルブラシの斜視図である。
【図３】本発明に使用する芯線の断面形状の例を示した図である。
【図４】本発明の第二実施形態を示す図である。
【図５】本発明のブラシ用毛材を回転ロータに適用した場合の図である。
【図６】本発明のブラシ用毛材を洗浄ブラシに適用した場合の図である。
【図７】本発明のブラシ用毛材を洗浄ブラシに適用した場合の図である。
【図８】本発明のブラシ用毛材を洗浄ブラシに適用した場合の図である。
【図９】本発明のブラシ用毛材をブラシロールに適用した場合の図である。
【図１０】従来のチャンネルブラシの製造工程を示す図である。
【符号の説明】
【００２３】
１、１ａ  ブラシ用毛材
２  帯板状体
３、１３、３３  仮止め糸
４  芯線
１５、１５ａ  帯状体
【図１】
2008036045.tif 000003
【図２】
2008036045.tif 000004
【図３】
2008036045.tif 000005
【図４】
2008036045.tif 000006
【図５】
2008036045.tif 000007
【図６】
2008036045.tif 000008
【図７】
2008036045.tif 000009
【図８】
2008036045.tif 000010
【図９】
2008036045.tif 000011
【図１０】
2008036045.tif 000012